(57)【要約】【課題】携帯端末の背面表示部を利用して広告表示の実効を上げる。【解決手段】広告主がコンテンツサーバから広告コンテンツを携帯電話機へ配信し、ユーザは前記広告コンテンツを公共の場所等で携帯電話機の背面表示部等に表示することにより第三者に対して宣伝、広告を行い、広告主は当該ユーザの広告表示の見返りに通信料金の一部を負担する。【選択図】        図４
2004336581.tif 000002
【特許請求の範囲】
【請求項１】
筺体のキー入力部側の前面表示部とその反対側の背面表示部を備える携帯端末による広告方法であって、
広告主からダウンロードした広告コンテンツにより前記背面表示部に広告表示を行い、当該広告表示の代償として通話料金の少なくとも一部を広告主が負担することを特徴とする携帯端末による広告方法。
【請求項２】
前記背面表示部への広告表示は、通信機能が利用できない動作モード又は着信音が鳴動されない動作モードにおいてのみ行われることを特徴とする請求項１記載の携帯端末による広告方法。
【請求項３】
前記広告表示は、着信及び発信動作時には前面表示部にも一定時間のみ行われることを特徴とする請求項１又は２記載の携帯端末による広告方法。
【請求項４】
広告主が負担する前記通話料金は広告表示の累積時間に基づいて算出されることを特徴とする請求項１、２又は３記載の携帯端末による広告方法。
【請求項５】
筺体のキー入力部側の前面表示部とその反対側の背面表示部を備える携帯端末を用いた携帯端末広告システムであって、
広告主の広告コンテンツを提供するコンテンツサーバと、移動通信網を介して前記コンテンツサーバからダウンロードした広告コンテンツを記憶するデータ記憶部と、該データ記憶部から前記広告コンテンツを読み出し前記背面表示部に広告表示を行う背面表示部制御回路とを備える携帯端末と、当該広告表示の代償として通話料金の少なくとも一部が広告主の負担により割り引く計算を行う課金サーバと、を備えることを特徴とする携帯端末広告システム。
【請求項６】
前記背面表示部への広告表示は、通信機能が利用できない動作モード又は着信音が鳴動されない動作モードにおいてのみ行われることを特徴とする請求項５記載の携帯端末広告システム。
【請求項７】
前記広告表示は、着信及び発信動作時には前面表示部にも一定時間のみ行われることを特徴とする請求項５又は６記載の携帯端末広告システム。
【請求項８】
広告主が負担する前記通話料金は、広告表示の累積時間に基づいて算出されることを特徴とする請求項５、６又は７記載の携帯端末広告システム。
【請求項９】
筺体のキー入力部側の前面表示部とその反対側の背面表示部を備える携帯端末であって、
移動通信網を介して広告主の広告コンテンツを提供するコンテンツサーバからダウンロードした広告コンテンツを記憶するデータ記憶部と、該データ記憶部から前記広告コンテンツを読み出し前記背面表示部に広告表示を行う背面表示部制御回路と、広告表示の代償として通話料金の少なくとも一部を広告主の負担により割り引く計算を行う課金サーバに対し、広告表示の累積時間の情報を送信する送信手段と、を備えることを特徴とする携帯端末。
【請求項１０】
前記背面表示部への広告表示は、通信機能が利用できない動作モード又は着信音が鳴動されない動作モードにおいてのみ行われることを特徴とする請求項９記載の携帯端末。
【請求項１１】
前記広告表示は、着信及び発信動作時には前面表示部にも一定時間のみ行われることを特徴とする請求項９又は１０記載の携帯端末。
【発明の詳細な説明】
【０００１】
【発明が属する技術分野】
本発明は、携帯電話機等の携帯端末の広告表示に関し、特に、携帯端末による広告方法、携帯端末広告システム及び携帯端末に関する。
【０００２】
【従来の技術】
携帯電話の利用者数は年々増加してきており携帯電話機の背面側に表示装置を備える機種も急速に増加する傾向にある。かかる背面側の表示装置に広告表示を行う広告方法が特許文献１に記載されている。また、携帯電話機等の電気機器への広告方法に関する課金システム及び課金方法が特許文献２〜６に記載されている。
【０００３】
【特許文献１】
特開２００１−２１１２７０号公報
【特許文献２】
特開２０００−１８６５７５号公報
【特許文献３】
特開２００１−３０９４４３号公報
【特許文献４】
特開２００２−１８２８２８号公報
【特許文献５】
特開２００２−２１６０２１号公報
【特許文献６】
特開２００２−２４７０４５号公報
【０００４】
【発明が解決しようとする課題】
携帯電話機等の背面側の表示装置に広告表示を行う従来の広告方法は、単に携帯電話機の背面側の表示装置を広告媒体とするものであり、ユーザにこのような広告宣伝の機能を選択させるインセンティブに欠けるものであった。また、広告の見返りに所定の便益を与える課金システム等も知られているが、広告表示は前面側の表示部でのみ行うものであり、携帯電話機に備わる複数の表示部の活用の工夫に欠けるものであった。
【０００５】
（目的）
本発明の目的は、以上の問題点を解決するものであり、携帯電話機の広告表示の実効を上げることを可能とする携帯端末による広告方法、携帯端末広告システム及び携帯端末を提供することにある。
本発明の他の目的は、携帯端末の背面表示部を利用して広告を行う携帯端末による広告方法、携帯端末広告システム及び携帯端末を提供することにある。
本発明の他の目的は、広告主がネットワークを介して広告コンテンツを携帯端末へ配信し、公共の場所等で利用者が自身の携帯端末の表示部に広告コンテンツを表示させることにより、第三者に対して宣伝効果および集客効果を得るビジネスモデルを提供することにある。
【０００６】
【課題を解決するための手段】
本発明の携帯端末による広告方法は、筺体のキー入力部側の前面表示部とその反対側の背面表示部を備える携帯端末による広告方法であって、広告主からダウンロードした広告コンテンツにより前記背面表示部に広告表示を行い、当該広告表示の代償として通話料金の少なくとも一部を広告主が負担することを特徴とし、前記背面表示部への広告表示は、通信機能が利用できない動作モード又は着信音が鳴動されない動作モードにおいてのみ行われることを特徴とする。更に、前記広告表示は、着信及び発信動作時には前面表示部にも一定時間のみ行われることを特徴とし、広告主の負担する前記通話料金は広告表示の累積時間に基づいて算出されることを特徴とする。
【０００７】
本発明の携帯端末広告システムは、筺体のキー入力部側の前面表示部とその反対側の背面表示部を備える携帯端末を用いた携帯端末広告システムであって、広告主の広告コンテンツを提供するコンテンツサーバと、移動通信網を介して前記コンテンツサーバからダウンロードした広告コンテンツを記憶するデータ記憶部と、該データ記憶部から前記広告コンテンツを読み出し前記背面表示部に広告表示を行う背面表示部制御回路とを備える携帯端末と、当該広告表示の代償として通話料金の少なくとも一部が広告主の負担により割り引く計算を行う課金サーバと、を備えることを特徴とし、前記背面表示部への広告表示は、通信機能が利用できない動作モード又は着信音が鳴動されない動作モードにおいてのみ行われることを特徴とする。更に、前記広告表示は、着信及び発信動作時には前面表示部にも一定時間のみ行われることを特徴とし、広告主の負担する前記通話料金は、広告表示の累積時間に基づいて算出されることを特徴とする。
【０００８】
本発明の携帯端末は、筺体のキー入力部側の前面表示部とその反対側の背面表示部を備える携帯端末であって、移動通信網を介して広告主の広告コンテンツを提供するコンテンツサーバからダウンロードした広告コンテンツを記憶するデータ記憶部と、該データ記憶部から前記広告コンテンツを読み出し前記背面表示部に広告表示を行う背面表示部制御回路と、広告表示の代償として通話料金の少なくとも一部を広告主の負担により割り引く計算を行う課金サーバに対し、広告表示の累積時間の情報を送信する送信手段と、を備えることを特徴とし、前記背面表示部への広告表示は、通信機能が利用できない動作モード又は着信音が鳴動されない動作モードにおいてのみ行われることを特徴とする。更に、前記広告表示は、着信及び発信動作時には前面表示部にも一定時間のみ行われることを特徴とし、前記携帯端末は、ヒンジ部により互いに開閉可能に連結した第１の筐体および第２の筐体を含み、前面表示部が開いた端末の正面側に、背面表示部がいずれかの筐体の背面側に設置されている折畳み型携帯無線端末であることを特徴とする。
【０００９】
（作用）
ユーザが携帯電話機等の携帯端末に電源を入れて背面表示部の表示動作を開始させると、当該携帯端末に移動通信網からダウンロードしてある広告主（広告提供企業等）の広告のコンテンツデータが背面表示部に表示される。携帯端末は公共の場所での利用者が多く、背面表示部は第三者が閲覧可能な状態にあるため、広告宣伝媒体として利用可能であり広告情報が第三者に提供され、広告宣伝が行なわれる。広告主はユーザに対し広告宣伝の見返りに所定の報酬を支払う等、実質的に通話料金の一部を負担する。このようにして携帯端末による広告・宣伝ビジネスが実現される。また、広告主の広告のコンテンツデータは、移動通信網に接続されたコンテンツサーバから携帯端末にダウンロードし、内容の更新が可能である。
本発明により、前記携帯端末を広告宣伝に利用することにより、携帯端末システムの契約者、広告主及び携帯電話事業者などからなる広告テレホンビジネスが実現される。
【００１０】
【発明の実施の形態】
（構成の説明）
図１は本発明の一実施の形態を構成する携帯端末システムの構成を示す図である。本システムは、携帯電話機１０、移動通信網２０、コンテンツサーバ３０、課金サーバ４０、ゲートウェイサーバ５０により構成される。本システムでは事前に広告提供企業（広告主）と携帯端末の使用者（契約者）との間で携帯端末の使用時の広告宣伝の表示及びこれに対する通話料金に関連して負担契約が結ばれる。
【００１１】
携帯電話機１０は、筺体及び表示部の構成として、ヒンジ部により開閉可能に連結した第１の筺体と第２の筺体で構成され、開いた状態で筺体の前面側（閉じた状態で内側）に液晶ディスプレイ等の表示部（「前面表示部」という。）が設けられ、背面側にも同様の表示部（「背面表示部」という。）を有する折畳み型携帯電話機でなり、移動通信網２０の基地局２１との間での無線通信により通信サービスの提供機能を有するとともに、後述する広告表示に関連する各種の機能を実現する。
【００１２】
移動通信網２０は、無線セルに在圏する携帯電話機１０と無線通信を行う前記基地局２１と網内の回線交換交換局２２により構成される。
【００１３】
コンテンツサーバ３０は、ゲートウェイ５０を介して移動通信網２０に接続される。コンテンツサーバ３０は携帯電話機１０に提供する広告情報等、広告依頼者等からの広告コンテンツのデータ（コンテンツデータ）を記憶している。このコンテンツデータは、動画、静止画、音声等により構成される。またコンテンツサーバは契約者のメールアドレス、電話番号等のＩＤ情報を管理しており、コンテンツデータをゲートウェイ５０へ送信する。ゲートウェイ５０はコンテンツデータを移動通信網２０を介して携帯電話機１０へ送信する。
【００１４】
課金サーバ４０は、移動通信網２０に接続され、携帯電話機１０において表示したコンテンツの履歴であるコンテンツ表示の累積（表示）時間に基づいて、広告実績
（効果）による契約者への支払額を算出する。さらに課金サーバ４０は、支払額の振込処理を行う処理サーバ（図示略）に対して、算出した支払額を送信し、契約者の銀行口座への振込を依頼する。振込金額はコンテンツサーバ３０を経由し契約者へ通知される。
【００１５】
図２は、本実施の形態の携帯電話機１０の構成を示すブロック図である。携帯電話機の機能に関して、ユーザインターフェース１、電話制御回路２、データ記憶部３、無線通信部４、前面表示制御部５、前面表示部６、背面表示制御部７、背面表示部８、表示設定記録手段９、バス１１を備える。
【００１６】
ユーザインターフェース１は、主にスイッチ及びテンキー等のキー操作部でなり、携帯電話機のメニュー選択、ダイヤル、発着信、電子メール、ウエブ操作等の各種の操作及び背面表示部８等への広告表示を行うか否か等の設定入力等の入力機能を有する。電話制御回路２は、中央処理装置（ＣＰＵ）を備え各種のプログラムにより動作し、バス１１を介して携帯電話機１０の各部のそれぞれの動作を実現する制御機能を有する。例えば、ユーザインターフェース１からの入力に応じて、メニュー制御、通信制御、表示制御等の携帯電話機の主たる機能を制御する。
【００１７】
データ記憶部３は、携帯電話機１０の前記機能を実現するための前記ＣＰＵの動作等に関する各種の制御プログラムの記憶に加え、本発明の表示用のコンテンツデータの書き込み及び読み出し機能を有する。無線通信部４は基地局との無線通信機能を有し、基地局との間の音声信号の送受信に加え、表示用のコンテンツデータの送受信機能を有し、コンテンツサーバ３０からダウンロードしたコンテンツデータを復調してデータ記憶部３に転送、記憶し、該コンテンツデータの表示のための読み出す機能を有する。
【００１８】
前面表示部制御回路５は、携帯電話機１０の前面表示部６の表示の制御を行う機能を有し、通常のメニュー画面操作、発着信表示、電子メールやウエブ機能、ゲーム機能等の携帯電話機の基本的な動作モードでの表示制御に加え、設定により広告表示の制御機能をも有する。また、前面表示部６でコンテンツを表示した履歴を累積時間として計算、管理し、送信手段である無線通信部から当該累積時間の情報を課金サーバ４０へ送信する機能を有する。
【００１９】
背面表示部制御回路７は、携帯電話機１０の背面表示部８の表示の制御を行う機能を有し、前面表示部６で表示する前記表示情報を背面に切り替えて表示する表示機能に加え、携帯電話機１０の動作モードに応じた広告表示の機能を有する。また、背面表示部８でコンテンツを表示した履歴は広告表示の累積時間として計算、管理し、送信手段である無線通信部から当該累積時間の情報を課金サーバ４０へ送信する機能を有する。
【００２０】
表示設定記録手段９は、ユーザインターフェース１からの入力操作による電話制御回路２の制御により設定される広告表示のモード（表示モード）の設定手段であり、前面表示部制御回路５及び背面表示部制御回路７の表示動作を決定する設定情報を記憶する機能を有し、データ記憶部３にダウンロードされているコンテンツデータを前面表示部６又は背面表示部８の何れか又はその両方で表示するための設定情報を保持する。
【００２１】
表示設定記録手段９の設定情報は、携帯電話機のメニュー画面操作、発着信表示、電子メールやウエブ機能、ゲーム機能等の動作モードにかかわらず背面表示部６でのみ表示する固定表示の設定とすることも、前記動作モードに応じて前面表示部６又は背面表示部８の何れか又は両方で表示するように可変表示の設定とすることも可能である。
【００２２】
図３は、表示設定記録手段９の設定情報の設定例を示す図である。ユーザインターフェース１からの入力により、携帯電話機の動作モードにかかわらず広告表示を背面表示部８でのみ表示する設定のタイプｌと、動作モードに応じて広告宣伝効果をも考慮した設定のタイプｌｌ〜Ｖｌの設定例を示している。タイプｌｌ〜Ｖｌは、その何れか又はその組合せが可能である。
【００２３】
タイプｌでは、表示設定記録手段９の設定情報により背面表示部制御回路７が常に動作し、データ記憶部３から読み出されたコンテンツを背面表示部８のみに継続的に表示される。タイプｌｌでは、携帯電話機の未使用状態で待機中は背面表示部８により表示を継続する。タイプｌｌｌでは、電話の発信、着信及び回線切断時には契約者自身への広告効果を与えるように一定時間、前面表示部６での広告表示をも行う。タイプｌＶでは、話中状態、メール・ウエブ操作、閲覧時に、背面表示部８への広告表示を行う。タイプＶでは、発着信、通話等の通信機能を停止する、いわゆるセルフモード（ＮＴＴ  Ｄｏｃｏｍｏが提供する機能）で、背面表示部８への広告表示を行う。更に、タイプＶｌでは、前記通信機能は使用可能であるが着信音は鳴動しないマナーモードで、背面表示部８への広告表示を行う。また、マナーモードでは第三者への広告表示を控える意味で前面表示部６への広告表示とすることもできる。またタイプｌｌ〜Ｖｌの複数の組合せ、例えばタイプｌｌ〜ｌＶの組合せ等が可能である。何れのタイプでも携帯電話機のスピーカからの音声広告を適宜加えることが可能である。また、夜間やカバン内への収納時等のように携帯電話機の周囲が暗い状態の場合、携帯電話機に設けた光センサによる制御により、また夜間の場合の時間帯のスケジュール制御等により広告表示を停止する。
【００２４】
特に、動作モード別の制御においては、前面表示部制御回路５及び背面表示部制御回路６における広告コンテンツの表示の累積（表示）時間の算出は、動作モード別に広告・宣伝効果を考慮した、異なる重み付けにより計算するように構成することができる。
（動作の説明）
図４は、本実施の形態の動作のシーケンスを示す図である。図１〜４を参照して本実施の形態の動作について説明する。本実施の形態の動作シーケンスの前提として、事前に広告提供企業と携帯端末の使用者（契約者）との間で携帯端末の使用時の広告宣伝の表示及びこれに対する通話料金に関して通話料負担契約が結ばれているものとする。
【００２５】
コンテンツサーバ３０は契約者の携帯電話機１０に対して、コンテンツを配信する（ステップＡ１）。携帯電話機１０でコンテンツを受信すると、コンテンツはデータ記憶部３に記憶される（ステップＡ２）。コンテンツを受信した契約者はユーザインターフェース１により背面表示部８にコンテンツを表示するよう表示設定記憶手段９に設定情報を記憶する（ステップＡ３）。
【００２６】
契約者が全モードで背面表示を行うタイプで所定コンテンツの広告表示の設定を行ったとすると、携帯電話機１０を使用中は背面表示部８に当該コンテンツが表示される（ステップＡ４）。この際、契約者は公共の場所等で何らかの動作モードで前面表示部６により携帯電話機を使用しており、その背面に設置された背面表示部８は第三者に閲覧されることにより宣伝効果が実現される。
【００２７】
表示設定記録手段９により、依頼者が提供したコンテンツが例えば背面表示部８に表示された履歴は背面表示部制御回路７で管理され、契約期間中に当該コンテンツが表示された背面表示部８の累積表示時間を計算する（ステップＡ５）。契約期間終了後に、契約者は課金サーバ４０へ累積表示時間の情報を送信する（ステップＡ６）。
【００２８】
課金サーバ４０では受信した累積表示時間の情報により、契約者への振込金額を計算し、図示せぬ処理サーバに振込金額を送信し、契約者の銀行口座への振込を依頼する（ステップＡ７）。その後、課金サーバ４０よりコンテンツサーバ３０へ広告提供企業の負担すべき金額である振込金額を通知する（ステップＡ８）。
【００２９】
課金サーバ４０より振込金額を受信したコンテンツサーバ３０は、契約者の携帯電話機１０へ振込金額を通知する（ステップＡ９）。
契約者は携帯電話機１０により広告提供企業の負担金額を受信し通信料の減額を認識することにより広告表示の成果が確認される（ステップＡ１０）。
【００３０】
（他の実施の形態）
以上の実施の形態では、背面表示を全動作モード又は動作モード別に行うように構成した例を示したが、図３に示す１ないし複数の特定の動作モードのみで広告表示を行うように構成することが可能である。例えば公共の場所での無線端末の通信は禁止されている場合があるため、前記セルフモード等の機能等により、携帯電話機に通信を不可とする設定を行った場合のみ広告コンテンツを表示する、公共の場所での利用を前提としマナーモード等で携帯電話機のスピーカからの音声をサイレントとする設定した場合のみ広告コンテンツを表示する等、が可能である。また、広告表示への見返りとする契約者への支払を契約期間中の広告表示の累積時間による従量制としたが、これは定額制とすることも可能である。
【００３１】
【発明の効果】
本発明によれば、携帯端末の筺体背面の液晶ディスプレイ等、少なくとも背面表示部に広告コンテンツを表示するように構成しており、携帯端末は公園、路上、電車内等、公共の場所で使用される機会が多く、広告主の意図する使用者（契約者）の周囲の人々等、第三者に対する宣伝効果及び使用者自身に対する宣伝効果が得られる。携帯電話機は通常はメインディスプレイである前面表示部が使用されるものであり背面表示部は使用されないから、これを広告・宣伝の表示に利用することは、表示部の有効利用の点で極めて効率的である。
【００３２】
また、結果的に宣伝活動をした携帯端末の使用者は広告履歴（表示時間）に応じた入金又は携帯電話通信料金の一部を見返りとして支払われるというメリットにより広告表示のインセンティブが高まる。
特に、携帯端末の動作モード別に広告表示の有無及び表示時間等の表示の態様を使用者により設定可能に構成したことにより、使用者が許容する広告表示の可能性を広げることができ、当該広告表示のシステムをより多くの使用者において利用可能とすることができる。
【００３３】
以上のように本発明によれば、携帯端末の使用者による広告表示に対し広告主に報酬又は通信料金の一部を負担させることにより、広告宣伝のインセンティブが高まり広告宣伝効果が増進し、広告主自体及び該広告主が提供する商品やサービス等の需要が増加し収益向上が期待され、携帯電話事業者においても当該広告に関連して使用される通信回線の使用量が増加し、通信料金の収益向上を期待することができる。
【図面の簡単な説明】
【図１】本発明の実施の形態に関するシステム全体の構成を示す図である。
【図２】同実施の形態における携帯電話機構成を示す図である。
【図３】表示設定記録手段９の設定情報の設定例を示す図である。
【図４】同実施の形態の動作シーケンスを示す図である。
【符号の説明】
１  ユーザインターフェース
２  電話制御回路
３  データ記憶部
４  無線通信部
５  前面表示制御回路
６  背面表示制御回路
７  前面表示部
８  背面表示部
９  表示設定記憶手段
１０  携帯電話機
１１  バス
２０  移動通信網
２２  交換局
３０  コンテンツサーバ
４０  課金サーバ
５０  ゲートウェイ
【図１】
2004336581.tif 000003
【図２】
2004336581.tif 000004
【図３】
2004336581.tif 000005
【図４】
2004336581.tif 000006